(57)【特許請求の範囲】
【請求項１】
周壁２上端部から、該周壁上端部よりも大外径の環状突部３を、頂壁外周部を共に巻締めし、かつ起立させて、該環状突部の下外面と周壁上端部外面との間に凹溝４を周設し、かつ頂壁中央部を貫設させて液体噴出用ステム６を上方付勢状態で起立し、該ステム上端にノズル付き押下げヘッド７を嵌合させた金属製のエアゾール缶１と、
上記環状突部３外面へ嵌合させた周壁12下端内面に、凹溝４内へ嵌合する係合突条13を周設すると共に、周壁上端に付設した内向きフランジ14を環状突部３上面へ載置し、該内向きフランジ内周部からキャップ嵌合筒15を起立する、弾性を有する合成樹脂製の環状部材11と、
上記押下げヘッド７を内部へ遊挿させてキャップ嵌合筒15外面へ、周壁12下端部を着脱自在に嵌合させた合成樹脂製のキャップ21とからなる、エアゾール式液体噴出容器において、
上記キャップ嵌合筒15の下部内面へ下部小内径の第１テーパ状部31を付形すると共に、キャップ嵌合筒15の上下方向中間よりも下方の環状部材部分に複数の割溝33を下端面を開溝させて縦設しておき、
又キャップ嵌合筒15内面へ、上記第１テーパ状部31と同形状の第２テーパ状部42を筒部43下端から垂下する合成樹脂製の押下げ用筒部材41を、筒部43上部をキャップ嵌合筒15上方へ起立させて、かつ第２テーパ状部42を第１テーパ状部の内壁面へ接して嵌合させ、
更に、環状部材11に対する筒部材41の強制押下げが可能に、筒部材41下端面とエアゾール缶頂壁上面との間に、筒部材下降用間隙を設け、上記筒部43の下部が第１テーパ状部31の下端内へ貫入すると、環状部材周壁12の下端内径は拡開し、エアゾール缶の環状突部３よりも大径化可能に形成した
ことを特徴とするエアゾール式液体噴出容器。
【発明の詳細な説明】
【０００１】
【発明の属する技術分野】
本発明はエアゾール式の液体噴出容器に関する。
【０００２】
【従来の技術】
一般に使用されているエアゾール式の液体噴出容器として、周壁上端部から、該周壁上端部よりも大外径の環状突部を起立させて、該環状突部の下外面と周壁上端部外面との間に凹溝を周設し、かつ頂壁中央部を貫設させて液体噴出用ステムを上方付勢させて起立し、該ステム上端にノズル付き押下げヘッドを嵌合させたエアゾール缶本体と、上記環状突部外面へ嵌合させた周壁下端内面に上記凹溝内へ嵌合させた係合突条を付設し、又その周壁上端へ付設した内向きフランジを環状突部上面へ載置し、かつその内向きフランジ内周からキャップ嵌合筒を起立する環状部材と、上記押下げヘッドを内部へ遊挿させてキャップ嵌合筒の外面へ、周壁下端部を着脱自在に嵌合させたキャップとで形成したものが知られている。尚エアゾール缶は金属で、又環状部材とキャップとは合成樹脂材で形成されている。
【０００３】
【発明が解決しようとする課題】
上記エアゾール式液体噴出容器の環状部材は、キャップ着脱に便利であり、又該環状部材はエアゾール缶上部へ確実に嵌着されているから、エアゾール缶に対してキャップがグラつくことがなく、安定感が大である。
【０００４】
ところで近時廃棄物の増大化から廃棄物の再使用が、又その再使用のために廃棄物の分別回収が重要視されており、該分別回収のためには、金属製であるエアゾール缶と、合成樹脂製の上記環状部材およびキャップとは、容易に分別可能であることが望ましい。
【０００５】
しかし乍ら上記環状部材は、エアゾール缶に対してキャップを安定に取付けるためのものであるから、エアゾール缶から環状部材を容易に取外しできるようにすることは、キャップの安定嵌合に悪影響を及ぼすこととなり、好ましくない。本発明は、消費者が噴出容器を使用する状態では、エアゾール缶に対して環状部材が確実に安定して取付けられているが、廃棄の際は極く簡単な操作で容易にその環状部材をエアゾール缶から取外すことが可能に設けたものである。
【０００６】
【課題を解決するための手段】
周壁２上端部から、該周壁上端部よりも大外径の環状突部３を、頂壁外周部を共に巻締めし、かつ起立させて、該環状突部の下外面と周壁上端部外面との間に凹溝４を周設し、かつ頂壁中央部を貫設させて液体噴出用ステム６を上方付勢状態で起立し、該ステム上端にノズル付き押下げヘッド７を嵌合させた金属製のエアゾール缶１と、
上記環状突部３外面へ嵌合させた周壁12下端内面に、凹溝４内へ嵌合する係合突条13を周設すると共に、周壁上端に付設した内向きフランジ14を環状突部３上面へ載置し、該内向きフランジ内周部からキャップ嵌合筒15を起立する、弾性を有する合成樹脂製の環状部材11と、
上記押下げヘッド７を内部へ遊挿させてキャップ嵌合筒15外面へ、周壁12下端部を着脱自在に嵌合させた合成樹脂製のキャップ21とからなる、エアゾール式液体噴出容器において、
上記キャップ嵌合筒15の下部内面へ下部小内径の第１テーパ状部31を付形すると共に、キャップ嵌合筒15の上下方向中間よりも下方の環状部材部分に複数の割溝33を下端面を開溝させて縦設しておき、
又キャップ嵌合筒15内面へ、上記第１テーパ状部31と同形状の第２テーパ状部42を筒部43下端から垂下する合成樹脂製の押下げ用筒部材41を、筒部43上部をキャップ嵌合筒15上方へ起立させて、かつ第２テーパ状部42を第１テーパ状部の内壁面へ接して嵌合させ、
更に、環状部材11に対する筒部材41の強制押下げが可能に、筒部材41下端面とエアゾール缶頂壁上面との間に、筒部材下降用間隙を設け、上記筒部43の下部が第１テーパ状部31の下端内へ貫入すると、環状部材周壁12の下端内径は拡開し、エアゾール缶の環状突部３よりも大径化可能に形成した。
【０００７】
【発明の実施の形態】
以下図面について説明する。まず従来公知の部分について説明すると、１は本発明の容器主体を形成する金属製のエアゾール缶で、周壁２上部を、小部小外径のテーパ状部とし、その上端部から、周壁上端部よりも大外径の環状突部３を起立し、該環状突部の下部外面と周壁上端部外面との間に凹溝４を周設している。又頂壁５はその中央部を上方への隆起部とすると共に、その中央部を貫設させて液体噴出用ステム６を上方付勢状態に起立し、該ステム上端にノズル付き押下げヘッド７を嵌合させ、該ヘッドを介してステム６を押下げすると、該ステム下端の吐出弁が開いて容器体内液体がステムを通ってノズルから噴出し、押下げヘッドを離すと、上記上方付勢によりステムが上昇し、すると上記吐出弁が閉じ液体噴出が停止するよう設けられている。尚上記環状突部３は頂壁外周と周壁上端部との巻締め部として形成される。
【０００８】
11は弾性を有する合成樹脂製の環状部材で、上記環状突部３外面へ嵌合させた周壁12の下端内面に、凹溝４内へ嵌合させて係合突条13を周設し、又周壁上端に付設した内向きフランジ14を環状突部３上面へ載置し、該内向きフランジ内周部からキャップ嵌合筒15を起立する。
【０００９】
21は合成樹脂製のキャップで、既述押下げヘッド７を内部へ遊挿させて、キャップ嵌合筒15外面へ周壁22下端部を着脱自在に嵌合させている。その周壁下端内面には突条を周設し、又キャップ嵌合筒外面へも突条を周設して、それ等両突条を係合させることで、キャップが外れ易くなることを防止しているが、それ等は必要により設ければよい。
【００１０】
本発明にあっては、既述キャップ嵌合筒15の下部内面に、下部小内径の第１テーパ状部31を付形した。該第１テーパ状部下端内面は図示のように起立壁32に形成するとよい。又図２が明示するようにキャップ嵌合筒15の上下方向中間部よりも下方の環状部材部分に複数の割溝33を縦設した。
【００１１】
更に上記第１テーパ状部31と同形状の第２テーパ状部42を筒部43下端から垂設した合成樹脂製の押下げ用筒部材41を設けて、その第２テーパ状部42を第１テーパ状部の内壁面へ接して、かつ筒部43上部をキャップ嵌合筒15よりも上方へ起立させて、そのキャップ嵌合筒内面へ筒部43を嵌合させた。第２テーパ状部42下端からは図示のように短筒部44を垂下してもよく、その下端とその下方のエアゾール缶頂壁５部分との間には、筒部材下降用の間隙を設けておく。上記筒部43外面とキャップ嵌合筒15の上部内面とには、互いに係合して筒部材41の上方抜出しを防止する係合突条をそれぞれ周設することが望ましい。
【００１２】
液体噴出容器廃棄の際は、まずキャップ21と押下げヘッド７とを取外した後、図３が示すようにエアゾール缶１を倒立させ、筒部材41の上端面を適宜台板上へ当て、押下げる。すると図４が示すように、筒部材41の筒部下部は、第１テーパ状部内壁面に対する第２テーパ状部外壁面の圧接摺動により筒部43の下部が第１テーパ状部31の下端内へ貫入し、該貫入により既述割溝33が拡開されることで第１テーパ状部31下端内径は、従って周壁12の下端内径は大径化することとなり、よってエアゾール缶の凹溝４内へ嵌合していた、環状部材周壁12下端の係合突条13は凹溝４から外れることとなる。よって該状態から筒部材41と環状部材11とを、エアゾール缶１上端部から容易に取外すことが出来る。
【００１３】
【発明の効果】
本発明は既述構成とするものであり、エアゾール缶の環状突部３外面へ環状部材11の周壁12を嵌合させ、かつ該周壁下端内面の係合突条13を上記環状突部の下部外面と周壁上端とが形成する凹溝４内へ嵌合させ、更に環状突部３上面へ上記周壁上端の内向きフランジ14を載置させて、その内向きフランジ内周部からキャップ嵌合筒15を起立する環状部材11を有するエアゾール式液体噴出容器において、そのキャップ嵌合筒15の下部内に下部小内径の第１テーパ状部31を付形すると共に、キャップ嵌合筒15の上下方向中間よりも下方の環状部材部分に複数の割溝33を、下端面を開溝させて縦設しておき、上記キャップ嵌合筒15内面へ、第１テーパ状部31と同形状の第２テーパ状部42を筒部43下端から垂下する筒部材41を、筒部43上部をキャップ嵌合筒15上方へ起立させて、かつ第２テーパ状部42を第１テーパ状部31の内壁面へ接して嵌合させたから、又環状部材11に対する筒部材41の強制押下げが可能に、筒部材下端面とエアゾール缶頂壁５上面との間に筒部材下降用間隙を設けたから、上記筒部材の強制押下げで、環状部材周壁12の内径を拡径でき、従って凹溝４内から周壁下端内面の係合突条13を外すことが容易であり、よってそれ等環状部材11および筒部材41をエアゾール缶から容易に外し、材質毎に分別廃棄することが容易である。
【図面の簡単な説明】
【図１】  本発明容器の要部の断面図である。
【図２】  容器主要部材の斜視図である。
【図３】  エアゾール缶から、筒部材を付設した環状部材を外す方法の説明図である。
【図４】  エアゾール缶の凹溝内から、環状部材周壁下端内面の係合突条を外した状態を示す、断面図である。
【符号の説明】
３…環状突部                    ４…凹溝
11…環状部材                    15…キャップ嵌合筒
31…第１テーパ状部              33…割溝
41…筒部材                      42…第２テーパ状部
【図１】
0003691243.tif 000002
【図２】
0003691243.tif 000003
【図３】
0003691243.tif 000004
【図４】
0003691243.tif 000005